(57)【特許請求の範囲】
【請求項１】
電源を供給する電池電源手段と、ガス媒体の供給や遮断を行う遮断手段と、前記電池電源手段の供給電圧を監視し所定電圧以下を検出時異常と判定する電圧検出手段と、前記電圧検出手段を駆動する周期を設定する周期設定手段と、前記電圧検出手段を駆動する周期を設定する周期設定手段と、前記電圧検出手段で電圧低下を検出時電池低下検出前の設定した間隔と異なる時間帯に前記周期設定手段の周期を可変する周期可変手段と、前記電圧検出手段で所定回数以上を検出時所定時間計測する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とを備えたガス遮断装置。
【発明の詳細な説明】
【０００１】
【発明の属する技術分野】
本発明は、例えば都市ガスやＬＰガス等を利用するガス器具の使用状態を監視するような遮断装置において、電池電源の電源容量消耗時の安全性を確保する遮断装置に関する。
【０００２】
【従来の技術】
従来のこの種の遮断装置は、例えばガス遮断装置では特開平１０−１０３５４６号公報に示されるように図２の構成になっていた。図２は従来のガス遮断装置のブロック図を示す。
【０００３】
図２のガス遮断装置１において、２は電池電源で、ガス遮断装置全体に電源を供給する。３は遮断弁で、流路でのガスの供給を停止したり、供給したりする。
【０００４】
４は電圧低下検出部で、所定の動作保証時間内でガス遮断装置１の動作が可能な電池電源２の容量が残されている消耗状態の電池電圧検知して電圧低下信号Ａを出力する。５は開栓受付部で、電圧低下信号Ａが入力された時から遮断弁の開栓受付を行って、開栓要求（開栓要求スイッチ又は通信による開栓信号の入力）があった時に開栓要求信号Ｃを出力する。６はタイマ部で、電圧低下信号Ａが入力された時から所定の動作保証時間をカウントして開栓終了信号Ｄを出力する。
【０００５】
７は開栓機能停止部で、開栓終了信号Ｄが入力されたときに開栓要求信号Ｃによる開栓を停止する閉栓停止信号Ｅを出力する。８はガス遮断制御部で、電池電圧低下信号Ａ又は閉栓停止信号Ｅが入力された時遮断弁３を閉栓動作させ、閉栓停止信号Ｅの入力信号以前に開栓要求信号Ｃが入力された時に遮断弁３を開栓させる。
【０００６】
次に従来例の構成の動作を説明する。電池電源２の消耗度をチェックしている電圧低下検出部４が電池消耗電圧を検出したとき、電圧低下信号Ａを開栓受付部５とタイマ部６とガス遮断制御部８に出力する。電圧低下信号Ａが入力されたガス遮断制御部８は、第一の遮断命令信号Ｂ１を出力して遮断弁３を動作させ、ガス通路の開栓を実行する。タイマ部６は電圧低下信号Ａが入力されるとカウント開始し、このタイマ部６により所定時間のカウント終了する迄の間に、開栓受付部５に開栓要求があり、開栓要求信号Ｃが出力された時には、ガス遮断制御部８は遮断弁３を開栓する。タイマ部６でカウント終了したとき、開栓終了信号Ｄが出力されるので、開栓機能停止部５は閉栓停止信号Ｅを出力して開栓要求の受付を停止する。閉栓停止信号Ｅが入力されたガス遮断装置１は第二の遮断命令信号Ｂ２を出力して遮断弁３を閉栓する。
【０００７】
都市ガス、ＬＰガス等の媒体ガスの流れる流路に取り付けられたガス遮断装置１において、電圧低下検出部４は所定時間間隔毎に電池電源２の電圧を測定し電池の消耗度を監視している。予めガス遮断装置１を動作させ得る下限値の電圧を動作保証電圧として設定しておき、ここから所要の日数分逆上った時の電圧値を電池消耗電圧として設定する。電圧低下検出部４は、電池電圧を監視してこの消耗時の電池電圧を検出する。即ち所要日数分だけ電池消耗電圧が検出されてから電池電源２の電圧が動作保証電圧迄低下する期間だけ遮断弁３の開栓が可能としてガス遮断装置１を交換するまでの猶予期間を設けたものである。
【０００８】
【発明が解決しようとする課題】
しかしながら上記従来の構成では下記問題点があった。電圧低下検出部４が所定の消耗状態の電池電圧を検知して電圧低下信号Ａを出力しタイマ部６がカウント開始し、タイマ部６が所定時間経過するとガス遮断制御部８より遮断信号が遮断弁に出力されるが、電圧低下検出部４を如何に駆動し電池電圧を検出するかが開示されておらず、電池容量が充分あるのに例えば冬季極低温環境下で誤判定するという問題点を有していた。
【０００９】
本発明は上記課題を解決するもので、電池電圧の監視を誤判定なく行える安全性や信頼性の高い遮断装置を提供することを目的としたものである。
【００１０】
【課題を解決するための手段】
この課題を解決するために本発明は、電源を供給する電池電源手段と、ガス供給や遮断を行う遮断手段と、所定周期に設定された周期設定手段により電圧検出手段を駆動し電池電源手段の供給電圧を監視し所定電圧以下か否かを判定し低下検出時異常と判定するが、電圧検出手段で電圧低下を検出すると電池低下検出前の設定した間隔と異なる時間帯に周期可変手段により周期設定手段の周期をかえて再度電圧検出手段で電圧低下異常か否かを判定する構成にしている。
【００１１】
このことにより電圧検出手段により電池電源の供給電圧が所定電圧以下であるのを検出しても、例えば冬季で異常な寒波が襲来し極低温下で電池電圧確認を行った場合があり、その場合周期可変手段で従来の周期設定手段で設定した間隔ではなく異なった時間帯で電池電圧を確認するように可変した周期を周期設定手段に設定し電圧監視する。これによって例えばその冬で最も寒い一過性の極低温により電池低下と誤判定することがなく、誤判定の結果、所定時間経過した後遮断してガス等を使用できないという不具合がなくなり遮断装置の安全性や信頼性を高めている。
【００１２】
【発明の実施の形態】
本発明は上記目的を達成するため、電源を供給する電池電源手段と、ガス等の媒体の供給や遮断を行う遮断手段と、前記電池電源手段の供給電圧を監視し所定電圧以下か否かを判定する電圧検出手段と、前記電圧検出手段を駆動する周期を設定する周期設定手段と、前記電圧検出手段で電圧低下を検出時前記周期設定手段の周期を可変する周期可変手段と、前記電圧異常計数手段で所定回数以上を検出時所定時間計測する時間計測手段と、前記遮断手段をガス等の供給可能状態に復帰させる信号を出力する復帰手段と、前記時間計測手段で所定時間経過した場合復帰信号を入力禁止とし前記遮断手段に遮断出力を行う復帰禁止手段とからなる。
【００１３】
本発明は上記目的を達成するため、電源を供給する電池電源手段と、ガス媒体の供給や遮断を行う遮断手段と、前記電池電源手段の供給電圧を監視し所定電圧以下を検出時異常と判定する電圧検出手段と、前記電圧検出手段を駆動する周期を設定する周期設定手段と、前記電圧検出手段で電圧低下を検出時電池低下検出前の設定した間隔と異なる時間帯に前記周期設定手段の周期を可変する周期可変手段と、前記電圧異常計数手段で所定回数以上を検出時所定時間計測する時間計測手段と、前記遮断手段をガス供給可能状態に復帰させる信号を出力する復帰手段と、前記時間計測手段で所定時間経過した場合復帰信号を入力禁止とし前記遮断手段に遮断出力を行う復帰禁止手段とからなる。
【００１４】
【実施例】
以下、本発明の実施例をガス遮断装置で説明するが、本発明はガスに限らず水道や電力、燃焼燃料などの遮断装置であってもよい。
【００１５】
（実施例１）
図１を参照して説明する。図１において、図２と同一機能を有する構成要素に関しては同一番号を付した。
【００１６】
図１は本発明の一実施例のガス遮断装置で、９はガス遮断装置の制御手段で、１０は流量検出手段で、使用ガス量の検出を行う。流量検出手段１０は例えば超音波素子を用いて伝搬時間計測を行うことによる流量計測の方式であったり、コアンダ効果を利用した流量発振を計測することによる流量計測の方式であったり、又膜式計量部によるガス量計測を行う方式もある。１１は外部機器手段で、例えばガス漏れ検出を行うガス漏れ警報器であったり、地震を検出する感震手段であったり、又ガス圧力を検出する圧力検出手段であり、ガス漏れや地震を検出したりガス圧力低下を検出すると信号を出力する。１２は異常判定手段で、流量検出手段１０で検出したガスの使用状態より、例えば一つのガス器具を異常な程長時間したのを検出したり、或いは外部機器手段１１でガス漏れを検出したり、地震を検出すると所定強度以上か判定し所定強度以上の地震と判定すると遮断手段３にガス供給停止するための遮断信号を出力する。１３は復帰手段で、操作されると遮断手段３にガス供給開始するため遮断手段３の復帰信号を出力する。１４は復帰禁止手段で、復帰手段１３からの復帰信号を遮断手段３に出力するか否か判定し、復帰禁止状態でなければ出力し、遮断手段３を開放状態にする。１５は周期設定手段で、電池電圧を監視する時間を設定し、所定時間経過時電池電圧監視の駆動信号を出力する。１６は電圧検出手段で、周期設定手段１５より駆動信号を受けると電池電源手段２の出力電圧を監視し、所定値以下に電圧低下しているか否かを判定し電圧低下を検出すると電圧低下信号を出力する。１７は周期可変手段で、電圧低下手段１６の電圧低下信号を受けると周期設定手段１５の駆動信号出力時間を可変する。例えば電池電圧低下検出した時間帯の１２時間後等異なった時間帯を設定し、周期設定手段１５に出力しその時間が経過すると電圧検出手段１６が駆動される。異なる時間帯で電圧検出手段１６が駆動され電圧判定を行い、電圧値が正常と判定したならば寒波等の一時的な気象要因による気温低下が原因の誤動作と判定し、電圧低下と再度判定したならば電池消耗による電圧低下と判定する。１８は時間計測手段で、電圧検出手段１５より電圧低下状態を検出すると、その低下信号により電池電圧低下検出後のガス遮断装置の使用可能な時間のカウントを開始する。即ち、ガス器具の使用状態の安全監視を正常な電圧範囲で行える時間の経過時間カウントを行う。時間計測手段１７で使用可能時間を計測完了すると、即ち所定時間が経過すると復帰禁止手段１４に復帰手段１３からの復帰指示信号入力を禁止し、遮断手段３に遮断出力しガス供給停止状態に維持し、報知手段１９にガス遮断装置の交換の異常表示をする。
【００１７】
又電池電圧低下信号が時間計測手段１７に出力され、時間計測手段１７で所定時間に達する前に、即ち時間計測中に需要家によるガス器具の異常使用状態を異常判定手段１２で検出すると遮断手段３に遮断信号を出力すると共に、復帰禁止手段１４に異常状態検出の遮断通知信号が入力されると復帰禁止手段１４では以降復帰手段１３からの遮断手段３の復帰信号を受け付けず、遮断状態に保持する。
【００１８】
次に上記構成の動作を説明する。
【００１９】
ガス遮断装置が設置され流量検出手段１０や外部機器手段１１でガス需要家のガス器具使用状態を監視する。その使用途中で異常な使用を異常判定手段１２で検出すると、例えばガスストーブを異常な長時間使用しているのを検出すると遮断手段３に遮断信号を出力しガス供給を停止する。このような監視状況下で冬季異常な寒波が襲来し低温状態に電池電源手段２がさらされ、かつ記録的な異常低温が続いた場合、周期設定手段１５で設定した周期で電圧検出手段１６を駆動し電池電源手段２の電圧を監視しているが、夜明け頃の最も低温時に計測すると、電池容量が十分残っているにもかかわらず一時的に電池低下と検出する場合がある。このような場合、周期可変手段１７は電圧低下信号を入力すると、次回の電圧検出周期を例えば１２時間後などの電圧低下と検出した時間帯と異なる時間帯を周期設定手段１５に設定する。即ち現在の周期設定手段１５の設定時間帯よりずらして電圧検出手段１６を駆動し電圧監視を行う。異常気象による極低温による電圧低下を検出時周期可変手段１７で所定時間ずらして電圧検出手段１６を駆動し電池電圧を計測し、電池電圧が正常と判定したならば、異常な極低温などの気象要因による誤判定と判定し時間計測手段１８の計測開始状態をリセットするとともに、電圧検出手段の周期を元の周期に戻し当初の周期設定値で電圧監視を行う。
【００２０】
一方何らかの原因で異常に電池電源手段２の電池容量を消費し電池電圧が低下すると、電圧検出手段１６で電池低下状態を検出すると、周期可変手段１７で計測周期を可変して電圧計測しても電圧低下状態が続く。その状態下で電圧検出手段１６が電圧低下信号を出力すると復帰禁止手段１４、及び時間計測手段１８に低下状態信号を出力する。同時に報知手段１９により電池低下状態の表示をＬＣＤ素子やＬＥＤ素子等で行う。更にガス供給事業者に電話回線などを通じて電池低下異常状態を通報する。
【００２１】
更に、時間計測手段１８は電池低下信号状態を検出すると時間カウントを行い電池電圧低下以降のガス遮断装置の使用可能時間を計測し、所定時間カウントすると復帰禁止手段１４に復帰手段１３からの信号受付を禁止状態にすると共に遮断手段３に遮断出力を行う。このことにより以降ガス供給停止を図ることによりガス遮断装置の安全使用可能時間を経過したことを通知する。
【００２２】
又、電池低下信号を受けた後時間計測手段１８で時間カウント中に、流量検出手段１０や外部機器手段１１により需要家のガス器具の使用状態を検出し、異常状態を検出するとその時点で時間計測手段１８の時間カウントを停止し、かつガス使用禁止状態にする。報知手段１９を介して以降ガス遮断装置自体を交換しない限りガス供給できない旨を需要家並びにガス供給事業者に通知する。
【００２３】
このようにしてガス遮断装置の電池電源が電圧検出手段１６により所定値以下を検出すると即座に異常と判定するのではなく、低下信号で周期可変手段１７より周期設定手段１５による電圧検出周期をずらして電池電源手段２の電圧監視を行い、冬季異常な寒波襲来による極低温による電池電源の一時的な電圧低下を、本当の電池容量消耗による恒久的な電池低下と識別して判定するので、気象要因などによる誤判定により所定時間後遮断しガス需要家のガス器具使用をできなくしたり、ガス供給事業者に不要な出動をさせたりすることがない。
【００２４】
なお、図示しないが、周期可変手段で周期変更する周期値の設定、時間計測手段で時間カウントする所定時間の設定はガス供給事業者等から電話回線などを通じて設定してもよい。例えば、地域の気候や使用者の実態に応じておのおの設定する。
【００２５】
【発明の効果】
以上説明したように本発明によれば、電源を供給する電池電源手段と、ガス等の媒体の供給や遮断を行う遮断手段と、前記電池電源手段の供給電圧を監視し所定電圧以下を検出時異常と判定する電圧検出手段と、前記電圧検出手段を駆動する周期を設定する周期設定手段と、前記電圧検出手段で電圧低下を検出時前記周期設定手段の周期を可変する周期可変手段と、前記電圧検出手段で電圧低下異常と判定する回数を計測する電圧異常計数手段と、前記電圧異常計数手段で所定回数以上を検出時所定時間計測する時間計測手段と、前記遮断手段をガス等の供給可能状態に復帰させる信号を出力する復帰手段と、前記時間計測手段で所定時間経過した場合復帰信号を入力禁止とし前記遮断手段に遮断出力を行う復帰禁止手段とを設けており、遮断装置の電池電源を周期設定手段の設定時間毎電圧検出手段を駆動し定期的に監視し、電圧検出手段により所定値以下を検出すると即座に異常と判定するのではなく、低下検出信号が周期可変手段に入力されると周期設定手段の設定時間を変え、即ち電圧検出手段を駆動する時間帯を前回の電圧低下を検出した時間帯とは異なる時間帯に変える周期に設定し電圧検出手段を駆動しその結果電圧値が正常と判定できたならば誤判定と判定し、冬季寒波等の襲来による一時的な気温低下で電池容量がまだ十分残っているにもかかわらず電圧低下と誤判定することがあり、本来の電池消耗による電圧低下と識別する必要があり、電圧監視周期を可変することにより一時的な気温変動に電池電圧が影響されない時間帯を選択するように時間帯を変えて電圧検出手段を駆動し異常か否かを判定することによって誤判定を防止できるので、誤判定により時間計測手段が作動し遮断手段が作動しガス等の供給が停止し利用者がガス等を使用できないという使い勝手の悪さがなく遮断装置の信頼性や使い勝手が向上する。
【図面の簡単な説明】
【図１】本発明の実施例の遮断装置の制御ブロック図
【図２】従来の遮断装置の制御ブロック図
【符号の説明】
２  電池電源手段
３  遮断手段
１０  流量検出手段
１１  外部機器手段
１２  異常判定手段
１３  復帰手段
１４  復帰禁止手段
１５  周期設定手段
１６  電圧検出手段
１７  周期可変手段
１８  時間計測手段
【図１】
0004304890.tif 000002
【図２】
0004304890.tif 000003